(57)【要約】【課題】ディスク装置のシャシへの取り付け位置を調整可能とする。【解決手段】シャシ２にディスク装置１を取り付けるディスク装置の取付け構造において、ディスク装置１が取付け可能で、且つシャシ２に取付け可能な取付け金具３と、ディスク装置１のシャシ２に対する取り付け位置を調整する調整部と、を備え、取付け金具３が可撓性を有し、調整部は、取付け金具３をディスク装置１の縦幅方向、横幅方向又は厚さ方向に撓ませてディスク装置１のシャシ２に対する取り付け位置を調整する。【選択図】図１
2009238272.tif 000002
【特許請求の範囲】
【請求項１】
シャシにディスク装置を取り付けるディスク装置の取付け構造において、
前記ディスク装置が取付け可能で、且つ前記シャシに取付け可能な取付け部材と、
前記ディスク装置の前記シャシに対する取り付け位置を調整する調整部と、を備え、
前記シャシ又は前記取付け部材の少なくともいずれか一方が可撓性を有し、
前記調整部は、可撓性を有する前記シャシ又は前記取付け部材の少なくともいずれか一方を前記ディスク装置の縦幅方向、横幅方向又は厚さ方向に撓ませて当該ディスク装置の前記シャシに対する取り付け位置を調整することを特徴とするディスク装置の取付け構造。
【請求項２】
前記調整部は、前記シャシを貫通して周方向に回動可能で、且つ前記取付け部材のシャシとの対向方向に進退可能に保持され、先端部が前記取付け部材の裏面に当接する調整ネジを含むことを特徴とする請求項１に記載のディスク装置の取付け構造。
【請求項３】
前記調整部は、前記シャシを貫通して周方向に回動可能で、且つ前記取付け部材のシャシとの対向方向に進退可能に保持され、先端部が前記取付け部材に螺合する調整ネジを含むことを特徴とする請求項１に記載のディスク装置の取付け構造。
【請求項４】
前記調整部は、前記取付け部材に設けられ、前記シャシと前記ディスク装置との対向方向を斜めに横切る角度で設けられたガイド斜面を有する案内部材と、
前記シャシを貫通して周方向に回動可能で、且つ前記取付け部材のシャシとの対抗方向に進退可能に保持され、先端部が前記案内部材のガイド斜面に当接する調整ネジと、を含むことを特徴とする請求項１に記載のディスク装置の取付け構造。
【請求項５】
前記案内部材は、前記取付け部材の少なくとも一部を前記シャシと前記ディスク装置との対向方向を斜めに横切る角度で設けることを特徴とする請求項４に記載のディスク装置の取付け構造。
【請求項６】
前記取付け部材の裏面は、前記節ネジの先端部を誘導する段構造を有することを特徴とする請求項２に記載のディスク装置の取付け構造。
【発明の詳細な説明】
【技術分野】
【０００１】
本発明は、ディスク装置の取付け構造に関する。
【背景技術】
【０００２】
従来、ＣＤプレーヤやＤＶＤプレーヤ等のディスク装置を固定する場合、筐体（シャシ）に対してディスク装置（ディスクドライブとも言う）を取り付ける構成が採られている。例えば、図９に示すようにシャシ１０２に直接ディスク装置１０１をビス等によりねじ止めするか、あるいは図１０に示すように取付け金具１０３を介してシャシ１０２にねじ止めする構成が採られる（例えば特許文献１）。
なお、以下ではディスクトレイの出没の稼動方向を前後方向、該前後方向と直交する方向であってシャシの底部に沿った方向を左右方向、該前後方向及び左右方向に直交する方向を上下方向とする。
【特許文献１】特開２００７−１０２９７６号公報
【発明の開示】
【発明が解決しようとする課題】
【０００３】
しかしながら、上記の技術を含む従来の取り付け方式では、各部品の加工精度によりディスク装置、シャシ及び取付け金具のねじ穴形成位置のばらつきや金具の歪み等が生じることがあった。この場合、ねじ穴形成位置のずれや金具の歪みによってにディスク装置とシャシとの位置ずれを生ずる。例えば、ねじ穴形成位置のずれによる位置ずれは前後左右方向に、金具の歪みによる位置ずれは全方向に生じ得る。当該位置ずれは、ディスク装置のディスクトレイと、該ディスクトレイが出没する筐体前面の開口部とが位置ずれを起こし外観を損ねるといった問題点を有していた。
また、上述の位置ずれが生ずる場合に該位置ずれを修正するための取り付け位置調整を行う仕組みがなかった。このため、ディスク装置をシャシに取り付けた結果位置ずれを生じた場合、いったんディスク装置をシャシから取り外し、その後にディスク装置、シャシ又は取付け金具の一つ又は複数を取り替えて位置ずれを起こさない組み合わせで再度取り付けるといった作業が必要であった。当該作業は煩雑であることに加え、別部品が必要である等、非生産的であった。
【０００４】
本発明の課題は、ディスク装置のシャシへの取り付け位置を調整可能とすることである。
【課題を解決するための手段】
【０００５】
上記課題を解決するため、請求項１記載の発明は、シャシにディスク装置を取り付けるディスク装置の取付け構造において、
前記ディスク装置が取付け可能で、且つ前記シャシに取付け可能な取付け部材と、
前記ディスク装置の前記シャシに対する取り付け位置を調整する調整部と、を備え、
前記シャシ又は前記取付け部材の少なくともいずれか一方が可撓性を有し、
前記調整部は、可撓性を有する前記シャシ又は前記取付け部材の少なくともいずれか一方を前記ディスク装置の縦幅方向、横幅方向又は厚さ方向に撓ませて当該ディスク装置の前記シャシに対する取り付け位置を調整することを特徴とする。
【０００６】
請求項２記載の発明は、請求項１に記載のディスク装置の取付け構造において、前記シャシを貫通して周方向に回動可能で、且つ前記取付け部材のシャシとの対向方向に進退可能に保持され、先端部が前記取付け部材の裏面に当接する調整ネジを含むことを特徴とする。
【０００７】
請求項３記載の発明は、請求項１に記載のディスク装置の取付け構造において、前記シャシを貫通して周方向に回動可能で、且つ前記取付け部材のシャシとの対向方向に進退可能に保持され、先端部が前記取付け部材に螺合する調整ネジを含むことを特徴とする。
【０００８】
請求項４記載の発明は、請求項１に記載のディスク装置の取付け構造において、前記取付け部材に設けられ、前記シャシと前記ディスク装置との対向方向を斜めに横切る角度で設けられたガイド斜面を有する案内部材と、
前記シャシを貫通して周方向に回動可能で、且つ前記取付け部材のシャシとの対抗方向に進退可能に保持され、先端部が前記案内部材のガイド斜面に当接する調整ネジと、を含むことを特徴とする。
【０００９】
請求項５記載の発明は、請求項４に記載のディスク装置の取付け構造において、前記案内部材は、前記取付け部材の少なくとも一部を前記シャシと前記ディスク装置との対向方向を斜めに横切る角度で設けることを特徴とする。
【００１０】
請求項６記載の発明は、請求項２に記載のディスク装置の取付け構造において、前記取付け部材の裏面は、前記節ネジの先端部を誘導する段構造を有することを特徴とする。
【発明の効果】
【００１１】
本発明によれば、ディスク装置のシャシへの取り付け位置の調整が可能となる。
【発明を実施するための最良の形態】
【００１２】
以下、添付図面を参照して本発明に係る実施の形態を詳細に説明する。ただし、発明の範囲は、図示例に限定されない。
【００１３】
（第１の実施の形態）
図１〜図５を参照して、本発明に係る第１の実施の形態を説明する。図１に、第１の実施の形態のディス装置の取付け構造を示す。
【００１４】
ディスク装置１は、取付け部材としての取付け金具３を介してシャシ２に取り付けられている。ディスク装置１は、取付け金具３の上面部３ａに対してねじ止め等により固定されている。取付け金具３は、その取付部３ｂを取付ねじ４によりシャシ２の固定部２ａにねじ止めされる。なお、図１では図示を省略しているが、取付け金具３の左方も右方と同様にシャシ２にねじ止めされる。なお、取付け部材として金属性である取付け金具３を用いて説明するが、その他の取付け部材として例えば可撓性を有する合成樹脂等を用いることも出来る。
【００１５】
図２に取付け金具３の取付部３ｂの近傍に設けられた切欠３ｃを示す。図２に示すように、取付け金具３の取付部３ｂの近傍にはそれぞれ切欠３ｃが設けられている。切欠３ｃは、後述する調節ネジ５〜７によるディスク装置１の位置調整の際に、取付け金具３がシャシ２に対して移動する際の撓みを生じさせる。
【００１６】
次に、調節ネジ５、６、７について詳説する。調節ネジ５、６、７は、取付け金具３をシャシ２に固定する取付ねじ４とは別のねじである。このうち調節ネジ５、７は、シャシ２に設けられた調節ネジ穴２ｂ、２ｄに対してそれぞれシャシ２の下方から螺合し、取付け金具３の当接部３ｄ、３ｆに当接する。つまり、調節ネジ５、７は、シャシ２を貫通して周方向に回動可能で、且つ取付け金具３のシャシ２との対向方向に進退可能に保持される。
【００１７】
また、調節ネジ６は、シャシ２に設けられた遊嵌穴２ｃを下方から上方へと貫通し、その先端部が取付け金具３に設けられた調節ネジ穴３ｅに螺合する。つまり、調節ネジ６は、シャシ２を貫通して周方向に回動可能で、且つ取付け金具３のシャシ２との対向方向に進退可能に保持され、その先端部が取付け金具の調節ネジ穴３ｅに螺合する。
【００１８】
調節ネジ５、６、７を右回り（又は左回り）に回動させることでその進退量を変化させ、シャシ２に対する取付け金具３の位置を調整することが可能に設けられている。これによってディスク装置１のシャシ２への取り付け位置を調整する。以下、各調節ネジによるディスク装置１の位置調整について詳説する。
【００１９】
図３に調節ネジ５による取付け金具３の位置調整の概要を示す。なお、図３（ａ）は取付け金具３が上方へ撓んでいない状態、図３（ｂ）は取付け金具３が上方へ撓んでいる状態を示す。図３（ａ），（ｂ）に示すように、調節ネジ５の先端部は、取付け金具３の裏面の当接部３ｄに下方から当接する。
また、図３（ａ）の状態から調節ネジ５を回動させると（右ネジの場合、右回転）、調節ネジ５が取付け金具３を上方へと押し上げるように働く。このとき、取付け金具３には前述のように切欠３ｃが設けられているのでシャシ２よりも撓みが生じやすくなっており、図３（ｂ）に示すように取付け金具３は撓みを生じて上方へと押し上げられる。これによってシャシ２に対する取付け金具３の上面３ａの上下位置が上方へと調整され、ディスク装置１の位置も上方へと調整される。なお、取付け金具３が弾性を有する場合、調節ネジ５を回動（右ネジの場合、左回転）させて取付け金具３に対して後退させると、取付け金具３は下方へ戻ることとなる。
【００２０】
図４に調節ネジ６による取付け金具３の位置調整の概要を示す。なお、図４（ａ）は取付け金具３が下方へ撓んでいない状態、図４（ｂ）は取付け金具３が下方へ撓んでいる状態を示す。図４（ａ），（ｂ）に示すように、調節ネジ６は、その先端部が取付け金具３の調節ネジ穴３ｅに螺合する。
調節ネジ６のねじ頭６ａがシャシ２の下面部に当接した状態から、調節ネジ６を回動させると（右ネジの場合、右回転）、図４（ｂ）に示すように取付け金具３は下方へと引っ張られる。このとき、取付け金具３には前述のように切欠３ｃが設けられているのでシャシ２よりも撓みが生じやすくなっており、図４（ｂ）に示すように取付け金具３は下方に撓む。これによってシャシ２に対する取付け金具３の上面３ａの上下位置が下方へと調整され、ディスク装置１の位置も下方へと調整される。なお、取付け金具３が弾性を有する場合、調節ネジ６を回動（右ネジの場合、左回転）させて取付け金具３に対して後退させると、取付け金具３は上方へ戻ることとなる。
【００２１】
図５に調節ネジ７による取付け金具３の位置調整の概要を示す。なお、図５（ａ）は取付け金具３が右方へ撓んでいない状態、図５（ｂ）は取付け金具３が右方へ撓んでいる状態を示す。図４（ａ），（ｂ）に示すように、調節ネジ７は、取付け金具３の当接部３ｆに当接する。当接部３ｆは、左上側から右下側へかけて斜めに設けられたガイド斜面を有しており、当該ガイド斜面に対して調節ネジ７の先端部が下方から当接する。また、当接部３ｆは、取付け金具３の長手方向（前後方向）の前方から左方に突出するよう屈曲して設けられる。
調節ネジ７を回動させると（右ネジの場合、右回転）、調節ネジ７の先端部が当接部３ｆのガイド斜面に対して上向きの押圧力を付勢することにより、当接部３ｆ及び取付け金具３は右方へと移動するよう付勢される。このとき、取付け金具３には前述のように切欠３ｃが設けられているのでシャシ２よりも撓みが生じやすくなっており、図５（ｂ）に示すように取付け金具３は右方に撓む。これによってディスク装置１も右方へと移動するので、調節ネジ７のねじ込み量の調整によりディスク装置１の左右方向の位置が調整される。なお、取付け金具３が弾性を有する場合、調節ネジ７を回動（右ネジの場合、左回転）させて取付け金具３に対して後退させると、取付け金具３は左方へ戻ることとなる。
【００２２】
以上、第１の実施の形態によれば、各調節ネジのねじ込み量を調整してシャシ２に対する取付け金具３の位置を調整することにより、ディスク装置１のシャシ２への取り付け位置を調整可能となる。
【００２３】
（第２の実施の形態）
なお、上記実施の形態における記述は、本発明に係るディスク装置の取付け構造の一例であり、本発明の実施の形態はこれに限定されるものではない。図６に、第２の実施の形態であるディスク装置の取付け構造を示す。なお、上述の実施の形態と同様の構成については同じ符号を付して詳説を省略する。
【００２４】
ディスク装置１は、シャシ１２に対して取付け金具１３を介して取り付けられる。シャシ１２には取付け金具１３の取付部１３ａを取付ねじ１４によってねじ止めする固定部１２ａを有している。固定部１２ａはシャシ１２の底部に対して上方に位置するよう段差が設けられている。また、固定部１２ａの下方及びその近傍には切欠１２ｂが設けられている。
【００２５】
取付け金具１３の前方端部側には、当接部１３ｂ、１３ｃが設けられ、各当接部の下方から調節ネジ１５，１６がシャシ１２の調節ネジ穴１２ｃ，１２ｄに螺合する。
【００２６】
当接部１３ｂは前方上側から後方下側へかけて斜めに設けられたガイド斜面を有している。調節ネジ１５を回動させると（右ネジの場合、右回転）、調整ネジ１５の先端部が当接部１３ｂのガイド斜面に当接して上向きに押圧する。このとき、第１の実施の形態における調節ネジ７と当接部３ｆとの関係と同様の仕組みで、取付け金具１３は後方へと移動するよう付勢される。このとき、固定部１２ａは切欠１２ｂの上に位置する段差として設けられているので撓みが生じやすくなっており、取付け金具１３が後方へと付勢されることによって撓み、取付け金具１３の固定位置を後方へと移動させる。これによってディスク装置１の前後方向の位置を調整する。なお、シャシ１２が弾性を有する場合、調節ネジ１５を回動（右ネジの場合、左回転）させて取付け金具１３に対して後退させると、取付け金具１３は前方へ戻ることとなる。
【００２７】
また、当接部１３ｃは右上側から左下側へかけて斜めに設けられたガイド斜面を有しており、取付け金具１３の長手方向（前後方向）の前方から右方に屈曲するよう設けられている。よって、調節ネジ１６を回動させると（右ネジの場合、右回転）、調整ネジ１６の先端部が当接部１３ｃのガイド斜面に当接して上向きに押圧する。このとき、第１の実施の形態における調節ネジ７と当接部３ｆとの関係と同様の仕組みにより、取付け金具１３は左方へと移動するよう付勢される。このとき、固定部１２ａは切欠１２ｂの上に位置する段差として設けられているので撓みが生じやすくなっており、取付け金具１３が左方へと付勢されることによって撓み、取付け金具１３の固定位置を左方へと移動させる。これによってディスク装置１の左右方向の位置を調整する。なお、シャシ１２が弾性を有する場合、調節ネジ１６を回動（右ネジの場合、左回転）させて取付け金具１３に対して後退させると、取付け金具１３は右方へ戻ることとなる。
【００２８】
第２の実施の形態においては、第１の実施の形態の効果に加えて、取付け金具１３の前方端部側に当接部１３ｂ，１３ｃが設けられており、当接部１３ｃによる左右方向の調整機能の付加は当接部１３ｂの構成を側方に屈曲すれば足りる構成である。従って、前後に加えて左右の位置調整機能を付加するための取付け金具１３の部品加工を簡略化することができる。
【００２９】
（第３の実施の形態）
図７に、第３の実施の形態であるディスク装置の取付け構造を示す。なお、図７（ａ）は第３の実施形態の取付け金具２３を、図７（ｂ）は当接部２３ｂ付近の構成を示す。また、上述の実施の形態と同様の構成については同じ符号を付して詳説を省略する。
ディスク装置１は、シャシ２２に対して取付け金具２３を介して取り付けられる。取付け金具２３は、その長手方向（前後方向）に対して、立設部２３ａの一部が側方に向かって突出するよう屈曲した当接部２３ｂを有する。当接部２３ｂは、取付け金具２３の立設部２３ａの一部をシャシ２２とディスク装置１との対向方向を斜めに横切る角度で設けられる。これによって、当接部２３ｂの下面部はガイド斜面として機能し、当該ガイド斜面に対してシャシ２２の調節ネジ穴２２ａに螺合した調節ネジ２５が下方から当接する。これによって、上述の各実施形態と同様の仕組みにより、取付け金具２３即ちディスク装置１の左右方向の位置調整が可能となる。
【００３０】
なお、第２、第３の実施の形態に第１の実施の形態における調節ネジ５、調節ネジ穴２ｂ及び当接部３ｄならびに調節ネジ６、遊嵌穴２ｃ及び調節ネジ穴３ｅに相当する構成をさらに設けて上下方向の位置調整を行えるようにしてもよいことは言うまでもない。
【００３１】
図８に、調節ネジの先端部を保持する保持形状の一例を示す。図８に示すように、取付け金具３３の当接部に調節ネジ３５の先端部を保持する保持形状３３ａを設ける。保持形状３３ａは、記節ネジ３５の先端部を誘導する段構造である。これによって、その下方から上方に向かって押圧力を加えるよう働く調節ネジ３５の先端部が誘導され、調節ネジ３５が当接部３３ａからずれることがなくなる。よって、取付け金具３３に対してより好適に上向きの押圧力を加えられ、位置調整の精度が一層向上する。当該保持形状は、上述の第１の実施例の当接部３ｄ及びこれに相当する構成に適用可能である。
【００３２】
なお、上述の各実施の形態における調節ネジは、そのねじ込み量によって取付け部材に対する押圧力を調整可能な構成であればその形態は上述に限定されない。例えばビスやボルト等でもよい。
【００３３】
また、取付け部材がシャシに固定される固定位置の近傍に設けられる切欠は、取付け部材またはシャシの少なくともいずれか一方にあればよい。例えば両方に設けてもよい。
【図面の簡単な説明】
【００３４】
【図１】第１の実施の形態のディス装置の取付け構造を示す図である。
【図２】取付け金具の取付部の近傍に設けられた切欠を示す図である。
【図３】調節ネジによる取付け金具の位置調整の概要を示す図である。なお、図３（ａ）は取付け金具が上方へ撓んでいない状態、図３（ｂ）は取付け金具が上方へ撓んでいる状態を示す。
【図４】調節ネジによる取付け金具の位置調整の概要を示す図である。なお、図４（ａ）は取付け金具が下方へ撓んでいない状態、図４（ｂ）は取付け金具が下方へ撓んでいる状態を示す。
【図５】調節ネジによる取付け金具３の位置調整の概要を示す図である。なお、図５（ａ）は取付け金具が右方へ撓んでいない状態、図５（ｂ）は取付け金具が右方へ撓んでいる状態を示す。
【図６】第２の実施の形態であるディスク装置の取付け構造を示す図である。
【図７】第３の実施の形態であるディスク装置の取付け構造を示す図である。なお、図７（ａ）は第３の実施形態の取付け金具２３を、図７（ｂ）は当接部２３ｂ付近の構成を示す。
【図８】調節ネジの先端部を保持する保持形状の一例を示す図である。
【図９】従来のシャシに直接取り付けられたディスク装置の一例を示す図である。
【図１０】従来の取付け金具を介してシャシに取り付けられたディスク装置の一例を示す図である。
【符号の説明】
【００３５】
１    ディスク装置
２、１２、２２、３２、４２    シャシ
３、１３、２３、３３、４３    取付け金具
４、１４    取付ねじ
５〜７、１５、１６、２５、３５    調節ネジ
【図１】
2009238272.tif 000003
【図２】
2009238272.tif 000004
【図３】
2009238272.tif 000005
【図４】
2009238272.tif 000006
【図５】
2009238272.tif 000007
【図６】
2009238272.tif 000008
【図７】
2009238272.tif 000009
【図８】
2009238272.tif 000010
【図９】
2009238272.tif 000011
【図１０】
2009238272.tif 000012